(57)【特許請求の範囲】
【請求項１】
オーディオ信号を受信する受信回路と、
上記受信回路で受信したオーディオ信号を増幅する出力アンプと、
上記出力アンプから各々チョークコイルを介して接続された、ヘッドホンの左ヘッドホンユニットに信号を供給する左信号供給線、ヘッドホンの右ヘッドホンユニットに信号を供給する右信号供給線、及び左右のヘッドホンユニットに接続された共通信号線とを備えたヘッドホン用受信装置であって、
上記受信回路のアンテナ入力回路は、
上記左右のヘッドホンユニットとチョークコイルとの接続点の上記共通信号線に直列接続された第１及び第２のコンデンサと、
補助コンデンサの一端と他端をループ状に形成された補助アンテナ線とを備え、
上記ループ状の補助アンテナの各々所定距離離れた第１接続点と第２接続点とを設定して、上記第１接続点を上記第１及び第２のコンデンサの接続中点に接続し、上記第２接続点を共振コンデンサとコイルからなる共振回路の接地箇所に接続し、上記第２のコンデンサと上記共振コンデンサとの接続点に得られる信号を上記受信回路に供給するようにした
ヘッドホン用受信装置。
【発明の詳細な説明】
【０００１】
【発明の属する技術分野】
本発明は、例えば携帯用のオーディオ機器に適用して好適なヘッドホン用受信装置に関する。
【０００２】
【従来の技術】
従来、携帯用として比較的小型に構成されたテープカセット再生装置や、コンパクトディスク（ＣＤ）再生装置などにヘッドホンを接続して、再生装置で再生されたオーディオ信号をヘッドホンで聞き取るようにしたものが各種製品化されている。
【０００３】
この場合、再生装置とヘッドホンとの間をオーディオ信号伝送用の信号線で接続させると、この信号線が邪魔になることがあるので、ワイヤレスで再生装置からヘッドホンにオーディオ信号などを伝送するようにしたいわゆるワイヤレス型の携帯用再生装置が開発されている。このワイヤレス型の再生装置の場合には、再生装置側に再生されたオーディオ信号を周波数変調（ＦＭ）して無線送信する送信回路を設けると共に、ヘッドホン側に無線伝送されたオーディオ信号（ＦＭ信号）を受信する受信回路を取付けておく。そして、受信回路で受信したオーディオ信号を復調して、ヘッドホンから再生させる。
【０００４】
このように再生装置とヘッドホンとの間を無線伝送することで、使い勝手が向上する。即ち、この種のオーディオ信号の再生装置の大きさは、テープカセットやコンパクトディスクなどの装着される記録媒体の大きさ以下にすることは困難であるので、携帯用として小型化するのには限界があるが、ヘッドホンに取付けられる受信回路は、このような再生装置よりも小型に構成することが可能である。従って、再生装置を使用者が所持するバックなどに入れ、ヘッドホンに取付けるための受信回路が構成された筐体を、ポケットなどに入れて使用することで、ある程度この使用者が再生装置を入れたバックから離れていても、ヘッドホンでオーディオを再生できる。
【０００５】
このようにして使用されるワイヤレス型の携帯用再生装置の場合には、受信回路が使用するアンテナとしては、接続されたヘッドホンのオーディオ信号伝送線（いわゆるヘッドホン用コード）を使用するものが多い。このようにヘッドホン用コードをアンテナ線として使用することで、受信回路が別体のアンテナを持つ必要がなく、それだけ受信回路を小型に構成することができる。
【０００６】
図５は、従来のこの種の受信回路に接続されるアンテナ入力部の構成の一例を示す図で、後述するアンテナ入力回路から供給される信号に基づいて、音声信号受信系１で受信処理して得た左チャンネル及び右チャンネルのオーディオ信号を、出力アンプ２により増幅した後、チョークコイル３Ｌ，３Ｒ，３Ｇを介してヘッドホン用コード４Ｌ，４Ｒ，４Ｇに送出する。この場合、ヘッドホン用コード４Ｌは左チャンネル用の信号線で、ヘッドホン用コード４Ｒは右チャンネル用の信号線で、ヘッドホン用コード４Ｇは各チャンネル共通の信号線である。そして、各ヘッドホン用コード４Ｌ，４Ｒ，４Ｇをヘッドホン５に接続する。この場合、左チャンネル用の信号線４Ｌと共通信号線４Ｇを左チャンネル用ユニット５Ｌに接続し、右チャンネル用の信号線４Ｒと共通信号線４Ｇを右チャンネル用ユニット５Ｒに接続する。
【０００７】
そして、ヘッドホン用コードの内の共通信号線４Ｇをアンテナ線として使用する。即ち、チョークコイル３Ｇとヘッドホンユニット５Ｌ，５Ｒとの間の共通信号線４Ｇを引き出して、アンテナ入力回路６に接続する。このアンテナ入力回路６は、共通信号線４Ｇとの接続部を、コンデンサＣ1 ，Ｃ3 ，Ｃ6 の直列回路を介して、ＮＰＮ型のトランジスタＱ1 のベースに接続する。そして、コンデンサＣ1 とコンデンサＣ3 との間に、コイルＬ1 の中点を接続する。そして、このコイルＬ1 の一端と他端との間を、コンデンサＣ2 を介して接続し、コイルＬ1 の一端を接地する。
【０００８】
また、コンデンサＣ3 とコンデンサＣ6 との間に、コンデンサＣ4 の一端とコンデンサＣ5 の一端とを接続し、両コンデンサＣ4 ，Ｃ5 の他端同士をコイルＬ2 を介して接続する。そして、コンデンサＣ5 の他端を接地する。そして、トランジスタＱ1 のエミッタを接地し、このトランジスタＱ1 のコレクタを音声信号受信系１に接続して、音声信号受信系１でトランジスタＱ1 を介して得られる信号を受信処理する。
【０００９】
このように構成されるアンテナ入力部によると、ヘッドホン用コード４Ｇをアンテナ線として受信した信号がアンテナ入力回路６で抽出され、音声信号受信系１で伝送されたオーディオ信号の受信処理ができる。この場合、アンテナ入力回路６内のコイルＬ1 ，Ｌ2 のインダクタンス値と、このコイルＬ1 ，Ｌ2 に接続されたコンデンサＣ2 ，Ｃ4 ，Ｃ5 の容量値の選定により、受信する無線信号の周波数帯域を設定する。例えば、２４０ＭＨｚ帯の信号を受信するようにそれぞれの値を選定し、このアンテナ入力部で同調するようにする。
【００１０】
【発明が解決しようとする課題】
ところで、このようなワイヤレス型の携帯用再生装置に使用されるヘッドホンに接続されるコードは、その長さが比較的短く（数十センチ程度）、再生装置とコードとの位置関係によっては、アンテナとして充分に機能せず、再生装置側から送信される信号の受信レベルが受信でない場合があり、このような場合はヘッドホンからのオーディオ再生が途切れてしまう。例えば、２４０ＭＨｚ帯で周波数変調さたオーディオ信号を無線送信させて、図５に示す回路で受信させた場合、オーディオ信号を送信する再生装置からの距離に変化がなくても、ヘッドホンコードの状態によって、受信感度が２０〜３０ｄＢ程度変化することがあった。
【００１１】
この問題点を解決するためには、例えばヘッドホン用コードの他に別体のアンテナを設け、ヘッドホン用コードによるアンテナと、別体化されたアンテナとの２本のアンテナの内で、受信感度が良好な方の信号を受信処理するようにして、いわゆるダイバーシティ受信を行うことが考えられる。ところが、このように別体化されたアンテナを設けると、それだけ受信部に別部品が取付けられることになり、ヘッドホンに接続される受信装置が大型化してしまう。また、ヘッドホンに接続される受信装置の回路構成も、良好なアンテナからの信号を選択する回路が必要で、複雑な回路構成になってしまう不都合があった。
【００１２】
本発明はかかる点に鑑み、簡単な構成で良好な受信ができるこの種の受信装置を提供することを目的とする。
【００１３】
【課題を解決するための手段】
この課題を解決するために本発明は、ヘッドホン用受信装置において、ヘッドホンユニットに接続された共通信号線をアンテナ線として使用して、そのアンテナ線に接続される共振回路と、アンテナ線と共振回路との間に接続されるループ回路と、共振回路を介して得られる受信信号を受信処理する受信回路とを備えたものである。
【００１４】
かかる本発明によると、ループ回路が補助的なアンテナとして機能し、アンテナ線での受信レベルが低い場合に、ループ回路で受信した信号で補うことが可能になる。
【００１５】
【発明の実施の形態】
以下、本発明の一実施例を図１〜図４を参照して説明する。この図１〜図４において、従来例で説明した図５に対応する部分には同一符号を付し、その詳細説明は省略する。
【００１６】
本例においては、携帯用の再生装置（テープカセット再生装置，ディスク再生装置など）から無線伝送されるオーディオ信号（例えばＦＭ変調されたアナログオーディオ信号）を受信し、接続されたヘッドホンに受信したオーディオ信号を供給するようにした受信装置としたもので、図１に示すように構成する。即ち、音声信号受信系１で受信処理されたオーディオ信号が、出力アンプ２で増幅処理され、チョークコイル３Ｌ，３Ｒ，３Ｇを介して接続されたヘッドホン用コード４Ｌ，４Ｒ，４Ｇに供給され、このコード４Ｌ，４Ｒ，４Ｇに接続されたヘッドホン５のヘッドホンユニット５Ｌ，５Ｒにオーディオ信号が供給され、各ヘッドホンユニット５Ｌ，５Ｒ内のスピーカユニットからオーディオ信号が放音される。
【００１７】
そして、出力アンプ２からチョークコイル３Ｌ，３Ｒ，３Ｇを介して接続されたヘッドホン用コード４Ｌ，４Ｒ，４Ｇの内の共通信号線４Ｇを、アンテナ入力回路１０内のコンデンサＣ1 の一端に接続する。このコンデンサＣ1 の他端を、コンデンサＣ3 ，コンデンサＣ6 を介してＮＰＮ型のトランジスタＱ1 のベースに接続する。
【００１８】
そして、コンデンサＣ1 とコンデンサＣ3 との間には、ループ部１１を接続する。このループ部１１は、コンデンサＣ2 の一端と他端との間が円形状に配された信号線により接続されて構成され、その円形状に配された信号線の所定箇所（ここではコンデンサＣ2 から離れた箇所）と、コンデンサＣ1 ，Ｃ3 の接続点との間を接続してあると共に、円形状に配された信号線の所定箇所（ここではコンデンサＣ2 の一端部の近傍）を接地電位部と接続してある。
【００１９】
そして、コンデンサＣ3 とコンデンサＣ6 との間に、コンデンサＣ4 の一端とコンデンサＣ5 の一端とを接続し、両コンデンサＣ4 ，Ｃ5 の他端同士をコイルＬ2 を介して接続する。そして、コンデンサＣ5 の他端を接地する。そして、トランジスタＱ1 のエミッタを接地し、このトランジスタＱ1 のコレクタを音声信号受信系１に接続して、音声信号受信系１でトランジスタＱ1 を介して得られる信号を受信処理する。
【００２０】
なお、アンテナ入力回路１０内のコイルＬ2 のインダクタンス値と、このコイルＬ2 に接続されたコンデンサＣ4 ，Ｃ5 の容量値の選定により、受信する無線信号の周波数帯域を設定する。ここでは、２４０ＭＨｚ帯の信号を受信するようにそれぞれの値を選定し、このアンテナ入力部で同調するようにする。
【００２１】
その他の部分は、従来例として図５に示した回路と同様に構成する。
【００２２】
ここで、このような回路構成のアンテナ入力回路１０が組み込まれた受信装置とヘッドホンの実際の構成例を図２に示すと、比較的小型の筐体内に構成された受信装置２０は、オーディオ信号を出力するためのジャック２１を備え、このジャック２１にヘッドホンのプラグ２２を接続することで、内部の回路で受信処理されたオーディオ信号が、ヘッドホン用コード４（このコード４の内部に３本の信号線４Ｌ，４Ｒ，４Ｇが収めてある）を介して、左右のヘッドホンユニット５Ｌ，５Ｒに供給される。この場合、ヘッドホン用コード４としては、例えば４０cm程度の長さとする。
【００２３】
なお、図２ではヘッドバンドがないタイプのヘッドホンを使用した例を示し、この場合には左右のヘッドホンユニット５Ｌ，５Ｒそのものが、ヘッドホン本体となっている。また、受信装置２０には、受信のオン・オフなどを行うスイッチ２３や、音量調整を行うボリューム（図示せず）などが取付けてある。
【００２４】
そして、受信装置２０の内部には、図１に示す回路を組むための回路基板２４が配置され、この回路基板２４から突出した部分の先端を円形とし、この円形部にループ部１１としての回路を構成させる。この場合、回路基板２４から突出したループ部１１の部分は、回路基板２４に対して折り曲げて、回路基板２４から若干離れた位置に配置し、受信装置２０内に納まるようにしてある。
【００２５】
なお、受信装置２０内には、各回路を作動させるための電池（図示せず）なども収納できるように構成される。
【００２６】
次に、本例の受信装置の受信動作について説明すると、ヘッドホン５のコード（信号線）４Ｇには、アンテナ入力回路１０が接続され、このアンテナ入力回路１０で所定帯域の受信信号を抽出する同調処理が行われる。即ち、信号線４ＧからトランジスタＱ1 までの信号路の途中に接続されたコンデンサＣ4 ，Ｃ5 とコイルＬ2 よりなる回路が共振回路となって、容量値及びインダクタンス値で決まる周波数帯域を抽出する同調回路として機能する。
【００２７】
同様に、信号線４ＧからトランジスタＱ1 までの信号路の途中に接続されたループ部１１についても、同調回路として機能する。即ち、ループ部１１の等価回路を図３に示すと、コンデンサＣ2 の一端と他端との間を円形状に接続する信号線が、所定のインダクタンス値のコイルＬ0 として機能し、このコイルＬ0 とコンデンサＣ2 とでループ回路が構成されることになり、コイルＬ0 の途中から引き出した端子１１ａが、図１に示す回路のコンデンサＣ1 ，Ｃ3 の間に接続され、コイルＬ0 とコンデンサＣ2 との接続点から引き出した端子１１ｂが、接地電位部に接続される。
【００２８】
この図３に示す等価回路でループ部１１が示されることで、このループ部１１は従来例として図５に示すアンテナ入力回路６内のコイルＬ1 とコンデンサＣ2 とで構成される共振回路と同様な回路として機能することが判る。従って、コンデンサＣ2 の容量値と、コンデンサＣ2 の一端と他端との間を円形状に接続する信号線の長さ（即ち等価回路で示されるコイルＬ0 のインダクタンス値）などを良好に選定することで、この所定の周波数帯を抽出する同調回路として機能する。
【００２９】
図４は、本例のアンテナ入力回路１０による受信特性を示す図で、所定の周波数ｆ1 （本例の場合には約２４０ＭＨｚ）の近傍の受信レベルだけが高くなって、この帯域の受信信号が抽出されたことが判る。
【００３０】
そして本例においては、このアンテナ入力回路１０の同調回路の一部として機能するループ部１１があることで、このループ部１１が補助アンテナとしても機能する。即ち、ループ部１１を構成する回路が、無線信号を拾うアンテナとして機能し、メインのアンテナであるヘッドホン用コード４Ｇでの受信感度が余り高くない場合に、このループ部１１での受信信号がアンテナ入力回路１０から音声信号受信系１に供給され、連続して良好な受信状態を確保することができる。
【００３１】
特に本例のようにヘッドホン用コードをアンテナとして使用した場合には、アンテナ（即ちヘッドホン用コード）のインピーダンスが高く、ボディエフェクトと称される現象、即ちヘッドホン装着者の体にアンテナ（コード）を近づけたときに、体の影響で受信感度が落ち込む現象が発生するが、ループ部１１は低インピーダンスのアンテナとして機能し、ボディエフェクトと称される現象がほとんど発生しない。従って、ボディエフェクトによりヘッドホン用コードでの受信感度が低下した場合でも、ループ部１１では良好な感度で受信できる可能性が高く、ヘッドホンに接続される受信装置として常時良好に受信できる可能性が高くなる。
【００３２】
なお、上述実施例においては、２４０ＭＨｚ帯で伝送されるオーディオ信号を受信する受信装置としたが、オーディオ信号以外の信号を受信する受信装置としても良いことは勿論であると共に、他の帯域で伝送される信号を受信するように構成しても良い。この伝送帯域が異なる場合には、アンテナ入力回路内の各素子の値などを対応して設定すれば対処できる。また、上述実施例で説明した図２では、受信装置２０のジャック２１に、ヘッドホンのプラグ２２を装着することで、ヘッドホンが取付けられるようにしたが、このようなジャックがなく受信装置がヘッドホンから外れないように構成しても良い。
【００３３】
また、上述実施例ではヘッドホン用コードをアンテナとするものに適用したが、他の適当な長さの導体をアンテナとしても良い。さらに、上述実施例では携帯用の再生装置と組み合わせて使用する受信装置としたが、他の受信装置にも適用できる。例えば、ＦＭ放送波を受信するラジオ受信装置にも適用することができる。この場合には、例えばアンテナ入力回路内の一部の素子を可変素子として、選局動作に連動してコンデンサの容量などを変化させて、抽出する周波数帯域を変化させるようにしても良い。
【００３４】
【発明の効果】
本発明によると、ループ回路が補助的なアンテナとして機能し、アンテナ線での受信レベルが低い場合に、ループ回路で受信した信号で補うことが可能になり、受信レベルの低下を抑えることができ、良好な受信状態が継続するようになる。
この場合、共振回路としてコンデンサとコイルを接続し、ループ回路の途中にコンデンサを接続するようにしたことで、共振回路とループ回路とで、所定帯域の信号を抽出する同調回路として機能し、所定帯域で伝送される信号を良好に受信できるようになる。
【００３５】
また、アンテナ線として、ヘッドホン用のオーディオ信号伝送線を使用するようにしたことで、別体のアンテナを全く設けることなく、良好に受信できるようになると共に、このオーディオ信号伝送線による受信感度が良くない場合に、ループ回路が補助アンテナとして有効に機能して、良好な受信状態が維持されるようになる。
【図面の簡単な説明】
【図１】本発明の一実施例による構成図である。
【図２】一実施例による装置を示す斜視図である。
【図３】一実施例のループ回路の等価回路を示す回路図である。
【図４】一実施例の受信特性を示す特性図である。
【図５】従来のアンテナ入力部の構成例を示す構成図である。
【符号の説明】
１  音声信号受信系
２  出力アンプ
３Ｌ，３Ｒ，３Ｇ  チョークコイル
４Ｌ，４Ｒ，４Ｇ  ヘッドホン用コード（信号線）
５  ヘッドホン
５Ｌ，５Ｒ  ヘッドホンユニット
１０  アンテナ入力回路
１１  ループ部
【図１】
0003635722.tif 000002
【図２】
0003635722.tif 000003
【図３】
0003635722.tif 000004
【図４】
0003635722.tif 000005
【図５】
0003635722.tif 000006